(57)【特許請求の範囲】
【請求項１】
合成樹脂からなる筒型器体の下端開放部に設けた下向きみぞ部に、同材の鍋状の蓋体周壁の上端部を挿入し、クリップ金具により蓋体を着脱可能に取付ける装置において、蓋体周壁の外側に複数の取付部材を器体側の係止部に対向する状態に設け、かつ周壁の上端には隣り合う二つの取付部材の中間位置に、所定の長さと幅の突起を外側に張り出して設け、柔軟なゴム材からなって環状をなす弾性シール材を、内外二つの縦片と両者を結ぶ上横片と上横片の先端部から斜め下向きに張り出す舌状片とで形成し、上横片には蓋体周壁上の各突起に対応する位置に突起係合用の透孔とみぞをそれぞれ形成し、蓋体周壁の上端部を内外の縦片で挟み込むと共に周壁上端の各突起を上記透孔とみぞに係合させて弾性シール材を周壁上に装着する一方、  壁上の各取付部材にはクリップ金具をそれぞれ上下に回動可能に取付け、上記蓋体周壁の上端部を器体の下向きみぞ部に挿入すると共に各クリップ金具を器体の係止部にかけ止めるようにしたことを特徴とするエンジン用のエアクリーナおよびレゾネータの容器における蓋体の取付装置。
【請求項２】
蓋体周壁の上端部に装着する上記弾性シール材の上横片に起立リブを全周的に設けると共に内側の縦片から上横片にかけて所要数の横リブを間隔をおいて設けたことを特徴とする請求項１記載のエンジン用のエアクリーナおよびレゾネータの容器における蓋体の取付装置。
【発明の詳細な説明】
【０００１】
【発明の属する技術分野】
この発明はエンジン用のエアクリーナやレゾネータの容器主として合成樹脂製の容器における蓋体の取付装置に関する。
【０００２】
【従来の技術】
トラックや産業車両等のエンジンに用いられているエアクリーナの一例を示せば図５，６のとおりであり、ポリプロピレンやナイロン等の合成樹脂からなり下端が開放された角筒型の器体１には、外気取り入れ用の入口パイプ１ａが周壁の上端部に横向きに設けられると共に吸気管に接続される出口パイプ１ｂが上壁の中央部に上向きに立設され、又上壁の中心部にはろ過エレメント３の上端部内周を支える短かな支持パイプ１ｃが下向きに垂設され、周壁の下端開放部には外側に張出した下向きのみぞ部１ｄが全周的に形成されていて、この下向きみぞ部１ｄ内にはアクリロニトリルブタジェンゴム，クロロプレンゴム等の柔軟なゴムからなる帯状の弾性シール材４が埋め込まれている。又上記下向きみぞ１ｄの周囲の所定の間隔をおいた複数の位置には下向きみぞ部１ｄより更に外側に張出した所定幅の下向きみぞ形をなしたクリップ金具掛止め用の係止部１ｅが設けられている。
【０００３】
器体１の内部に配設されるろ過エレメント３は一連のろ紙又は不織布を菊花形筒状に形成したろ材３ａの内側又は内外に合成樹脂又は鉄板等の金属からなる多孔筒３ｂを嵌挿し、その上下端には発泡ウレタンゴムからなるシール材を兼ねた環状の端板３ｃが一体に装着されている。
【０００４】
一方、器体１の下端開放部には器体１と同じ合成樹脂からなる鍋状の蓋体２が配設され、この蓋体２は底壁の中央部にろ過エレメント３の下端部内周を支える受けパイプ２ａが器体１の支持パイプ１ｃに対向する状態に設けられ、周壁の中央高さの複数箇所には、器体１の上記みぞ形係止部１ｅに対向する状態にクリップ金具５保持用の角枠状の取付部材６が外方に張り出して設けられている。
【０００５】
そして、蓋体２の取付けに当たっては、先ず蓋体２の周壁上の各取付片６にそれぞれ板金からなるＣの字状のクリップ金具５を上下に回動可能に取付けておき、次いでろ過エレメント３をその上端板３ｃの内周部を器体１の支持パイプ１ｃに嵌合させて、器体１内に収容し、その後に蓋体２の取付部材６を器体１側の係止部１ｅに合せながら、蓋体２の周壁の上端部を器体１周辺の下向きみぞ部１ｄ内に差し入れ、かつ受けパイプ２ａをろ過エレメント３の下端板３ｃの内周部に嵌め合せ、各取付部材６に取付けたクリップ部材５を上方に回動させて、それらの上端屈曲部を器体の係止部１ｅ上にそれぞれかけ止める。
【０００６】
【発明が解決しようとする課題】
ところで、上記従来のエアクリーナでは、蓋体２の周壁の上端面を器体１の下向きみぞ部内に配置した弾性シール材４に突き合せて、器体の密封を図るようにしているが、クリップ金具５の締付け力が制限なくかかる状態にしておくと、シール材４に永久歪が生じ、シール性能を失うところから、クリップ金具５を掛け止めた際、器体側係止部１ｅの外壁の下面が蓋体側取付部材６の外壁の上面に当接するようにして、クリップ金具５の締付け量を一定にし、過大にならないようにしている。しかし、この突き合せ形式のものでは、クリップ金具５の存在しない中間部分では浮き上がり気味になってシールが不充分で、特に経時的な変化によって周壁及びみぞ部１ｄに反りが生じると密封性能が失われてしまう。
【０００７】
そこで、この発明は、クリップ部材が存在しない周壁の中間部分において密封を確実にし、経時的な変形で器体周壁に反りが生じても、密封機能を失わないようにすることを課題とする。
【０００８】
【課題を解決するための手段】
上記課題のもとに、この発明は、第１に合成樹脂からなる筒型器体の下端開放部に設けた下向きみぞ部に、同材の鍋状の蓋体周壁の上端部を挿入し、クリップ金具により蓋体を着脱可能に取付けるエンジン用のエアクリーナおよびレゾネータの容器における蓋体の取付装置とし、蓋体周壁の外側に複数の取付部材を器体側の係止部に対向する状態に設け、かつ周壁の上端には隣り合う二つの取付部材の中間位置に、所定の長さと幅の突起を外側に張り出して設け、柔軟なゴム材からなって環状をなす弾性シール材を、内外二つの縦片と両者を結ぶ上横片と上横片の先端部から斜め下向きに張り出す舌状片とで形成し、上横片には蓋体周壁上の各突起に対応する位置に突起係合用の透孔とみぞをそれぞれ形成し、蓋体周壁の上端部を内外の縦片で挟み込むと共に周壁上端の各突起を上記透孔とみぞに係合させて弾性シール材を周壁上に装着する一方、周壁上の各取付部材にはクリップ金具をそれぞれ上下に回動可能に取付け、上記蓋体周壁の上端部を器体の下向きみぞ部に挿入すると共に各クリップ金具を器体の係止部にかけ止めるようにしたことを特徴とし、第２には、蓋体周壁の上端部に装着する上記弾性シール材の上横片上には起立リブを全周的に設けると共に内側の縦片から上横手にかけて所要数の横リブを間隔をおいて設けるようにしたことを特徴とするものである。
【０００９】
【発明の実施の形態】
図１ないし図３はこの発明をエアクリーナに適用した例を示すものであり、１１はポリプロピレンやナイロン等の合成樹脂からなる角筒型の器体で、周壁の上端部一側には外気取入れ用の入口パイプ１１ａが横向きに設けられ、上壁の中央部にはエンジンの吸気管に接続される出口パイプ１１ｂが上向きに立設されると共にろ過エレメント１３の上端部内周を支える短かな支持パイプ１１ｃが下向きに垂設されており、一方周壁の下端開放部には所定の幅と深さの下向きみぞ部１１ｄが全周的に外側に張出して形成され、その周囲の所定の間隔をおいた複数箇所には前記のように下向きみぞ部の係止部１１ｅが設けられている。
【００１０】
一方、器体１の下端開放部に対向配置される鍋状の蓋体１２は、器体１１と同じ合成樹脂からなり、底壁の中央部にはろ過エレメント１３の下端部内周を支える受けパイプ１２ａが器体１１の支持パイプ１１ｃに対向する状態に設けられ、器体１１の周壁より一回り大きな周壁の中央高さの複数箇所には、器体１１の下向きみぞ形の係止部１１ｅに対向する状態にクリップ金具１５の取付部材１６が外方に張り出して設けられ、又図２のように間隔をおいて隣り合う二つの取付部材１６の中間位置には、後述の弾性シール材１４を係止しかつシール材リップ部の曲がり具合を一定に保つための所要の長さと幅と高さの長方形状の突起１７が一つ又は複数（図では二つ）、周壁の上端面から外側に張出して設けられている。そして、突起１７が外側に張り出す幅は、蓋体１２の周壁の上端部を器体１１の下向きみぞ部１１ｄに挿入したとき、突起１７の外端面が下向きみぞ部１１ｄの外壁の内面に当接する程度に設定されていて、弾性シール材１４の舌状片１４ｄの折れ曲がりを一定に保ち、必要以上に変形するのを防ぎ、かつ全周的には器体１１に対し蓋体１２が片寄るのを防ぐようになされており、また、突起１７の高さは弾性シール材１４の上横片１４ｃの厚さに対してこれを適正に圧縮する程度に設定されていて、弾性シール材１４の圧縮を規制するストッパーの役割を果たすようになされている。
【００１１】
取付部材１６は器体側の係止部１１ｅと同じ幅で、図３のように上端の開放された角枠状をなし、内側上端には周壁から突き出た庇１６ａを有し、かつ下端には外壁から内側に突き出た棚１６ｂを備え、内部は三角状の仕切１６ｃで二分されていて、下端の奥部には左右一対の窓孔１６ｄが設けられている。又図３における１５は所定幅の板金からなるクリップ金具で、側面からみた形状がＣの字状をなし、下端は所定長さのスリットによって二股に分けられ、この二股部分はＶの字状に曲げられてフック部１５ｂをなし、上端部は本体と逆方向に曲げられて手かけ兼用の係止片１５ａをなしており、このクランプ金具１５は二股フック部１５ｂを取付部材１６の下端の窓孔１６ｄに下側から挿入して棚１６ｂに引っかけて上下に回動可能に取付けられる。しかし、取付部材１６及びクリップ金具１５の構成は従来のものと変りない。
【００１２】
又、図２に示す１４はアクリロニトリルブタジェンゴムやクロロプレンゴム等の柔軟なゴム材からなる弾性シール材で、蓋体１２とほぼ同じ大きさの角形の環状体をなしており、その断面は、蓋体１２の周壁の上端部を挟み込む内外の縦片１４ａ，１４ｂと両者を結ぶ上横片１４ｃ及び上横片１４ｃの先端から下向き斜めに張り出した舌状片１４ｄとでほぼ横向きのＦ字状をなし、上横片１４ｃには蓋体１２の周壁上端の長方形の突起１７を嵌め込み係合するための透孔１４ｇとみぞ１４ｈが各突起１７の位置に合せて形成されている。図４は図２のＸ−Ｘ線に沿った断面を示す。そして図示の例では、上横片１４ｃ上には起立リブ１４ｅが全周的に設けられると共に内側の縦片１４ａから上横片１４ｃにかけて所要数の横リブ１４ｆが周方向に間隔をおいて設けられていて、器体１１の下向きみぞ部１１ｄの内面との面的な接触を避けて長期に使用した際の付着現象を防ぐようになされている。
【００１３】
ろ過エレメント１３は前記のように一連のろ紙又は不織布を菊花形筒状に形成したろ材１３ａの内側又は内外に合成樹脂又は鉄板等の金属からなる多孔筒１３ｂを嵌挿し、その上下端には発泡ウレタンゴムからなるシール材を兼ねた環状の端板１３ｃが一体に装着されている。
【００１４】
かくて、蓋体１２の取付けに当たっては、先ず、蓋体１２の周壁上の各取付部材１６にクリップ金具１５を上記のようにしてそれぞれ取付けると共に弾性シール材１４の内外の縦片１４ａ，１４ｂで周壁の上端部を挟み込み、かつ上横片１４ｃに設けた透孔１４ｇに蓋体１２の突起１７を通して周壁上端の各突起１７を弾性シール材１４の上横片１４ｃのみぞ１４ｈにそれぞれ係合させて、弾性シール材１４を蓋体１２の上端に装着しておき、次いで、ろ過エレメント１３をその上端板１３ｃの内周を器体１１の支持パイプ１１ｃに嵌め合せて器体１１内に収容し、その後に、蓋体１２の周壁上の取付部材１６を器体１１の係止部１１ｅの位置に合せながら、周壁の上端に装着した弾性シール１４を器体１１の下向きみぞ部１１ｄ中に押し入れ、かつ蓋体１２の底壁上の受けパイプ１２ａをエレメント１３の下端板１３ｃの内周に嵌め合せて、蓋体１２で器体１１の下端開放部を閉じ、各クリップ金具１５を上方に回動させてその係止片１５ａを器体１１の係止部１１ｅにそれぞれかけ止めることにより、蓋体１２を器体１１に組付ける。
【００１５】
その際には、図１に示すように弾性シール材１４の先端部の舌状片１４ｄが下向きに逆Ｖ字状に折れ曲がって、器体の下向きみぞ部１１ｄの外壁内面に圧接することになり、それと同時に蓋体１２の上端にある各突起１７の外端面が下向きみぞ部１１ｄの外壁内面に当接し、上記舌状片１４ｄの折れ曲がり程度を一定に保ち、器体１１と蓋体１２の結合部における密封を確実にする。又弾性シール材１４上の起立リブ１４ｅと横リブ１４ｆが下向きみぞ１１ｄの内面に当接し、下向きみぞ部１１ｄに対する弾性シール材１４の面的接触を避け、長期の使用に伴う付着現象を防ぐ。更に経時的な変化により下向きみぞ部１１ｄにおけるクリップ金具１５による締付け部以外の中間部分に反りが生じたにしても、舌状片１４ｄがその反りに追従してみぞ部１１ｄの外壁内面に接触しつづけ、密封状態を維持する。
【００１６】
一方、装置の保守，点検に当たり、各クリップ金具１５を下方に回動させて係合状態を解けば、蓋体１２を器体１１から容易に取外すことができ、器体１１及び蓋体１２の清掃やろ過エレメント１３の交換を簡単に行うことができる。
【００１７】
なお、上述の例では、この発明をエアクリーナに適用した例を示したが、これに限らず、エンジンの吸気係に付設されるレゾネータの容器にも適用することができ、又器体や蓋体は図示のような角筒型に限らず円筒型であってもよい。
【００１８】
【発明の効果】
この発明はエンジン用のエアクリーナおよびレゾネータの容器における蓋体の取付装置として、上述のように構成されているので、請求項１のものでは、蓋体の周壁の上端部を器体の下向きみぞ部に挿入した際には、弾性シール材の舌状片が折れ曲がりながら、その外面が下向きみぞ部の外壁の内面に圧接し、それと同時に周壁上端の各突起の外端面が下向きみぞ部の外壁内面に当接することになって、蓋体の結合部における密封が一定かつ確実になり、又経時的な変化により下向きみぞ部に反りを生じたにしても、舌状片がその変形によく追従し、常に密封状態を維持することができ、これまでの突き合せ式のものに比べ、安定した密封性能が得られる。そして請求項２のものでは、上記の効果に加えて、弾性シール材は下向きみぞ部の内面に面的に接触しないので、長期に使用しても付着することなく、蓋体を器体から容易に取外すことができる。
【図面の簡単な説明】
【図１】この発明をエアクリーナに適用した例の断面図。
【図２】蓋体と弾性シール材を分離した一部分の斜視図。
【図３】クリップ金具とその取付部材の分離斜視図。
【図４】図２のＸ−Ｘ線に沿った断面図。
【図５】従来のエアクリーナの図６のＹ−Ｙ線に沿った断面図。
【図６】その平面図。
【符号の説明】
１１  器体
１１ａ  入口パイプ
１１ｂ  出口パイプ
１１ｄ  下向きみぞ部
１１ｅ  係止部
１２  蓋体
１３  ろ過エレメント
１４  弾性シール材
１４ａ  縦片
１４ｂ  縦片
１４ｃ  上横片
１４ｄ  舌状片
１４ｅ  起立リブ
１４ｆ  横リブ
１４ｇ  透孔
１４ｈ  みぞ
１５  クリップ金具
１６  取付部材
【図１】
0003671119.tif 000002
【図２】
0003671119.tif 000003
【図３】
0003671119.tif 000004
【図４】
0003671119.tif 000005
【図５】
0003671119.tif 000006
【図６】
0003671119.tif 000007